(57)【要約】【課題】  回路規模の増大を招くことなく、カラーフィルタの配列方式が異なる撮像素子により得られた画素データに対する信号処理が適切に行える信号処理装置及び信号処理方法を提供する。【解決手段】  カラーフィルタが所定の配列方式で各受光素子に対応して設けられた撮像素子により得られた画素データ群に対して所定の信号処理を施すに際し、前記撮像素子のカラーフィルタの配列方式が前記予め定められたカラーフィルタの配列方式と異なる場合には前記画素データ群に対して予め定められたカラーフィルタの配列方式に対応する画素データ群への変換を行ってから前記予め定められたカラーフィルタの配列方式に対応した所定の信号処理を施す一方、他の場合には前記変換を行わずに前記予め定められたカラーフィルタの配列方式に対応した所定の信号処理を施す。【選択図】        図１
2006094194.tif 000002
【特許請求の範囲】
【請求項１】
カラーフィルタが所定の配列方式で各受光素子に対応して設けられた撮像素子により得られた画素データ群に対して所定の信号処理を施す信号処理装置であって、
前記画素データ群を予め定められたカラーフィルタの配列方式に対応する画素データ群に変換する変換手段と、
前記撮像素子に設けられたカラーフィルタの配列方式を設定するための設定手段と、
前記設定手段により設定されたカラーフィルタの配列方式が前記予め定められたカラーフィルタの配列方式と異なる場合には前記変換手段により変換された画素データ群を選択し、他の場合には前記撮像素子により得られた画素データ群を選択する選択手段と、
前記選択手段により選択された画素データ群に対して、前記予め定められたカラーフィルタの配列方式に対応した所定の信号処理を施す信号処理手段と、
を備えた信号処理装置。
【請求項２】
前記変換手段は、前記撮像素子により得られた画素データ群のうち、隣接する同色のフィルタに対応する複数の画素データを用いた補間演算により前記予め定められたカラーフィルタの配列方式に対応する各画素の画素データを導出することにより前記変換を行う
請求項１記載の信号処理装置。
【請求項３】
カラーフィルタが所定の配列方式で各受光素子に対応して設けられた撮像素子により得られた画素データ群に対して所定の信号処理を施す信号処理方法であって、
前記撮像素子のカラーフィルタの配列方式が前記予め定められたカラーフィルタの配列方式と異なる場合には前記画素データ群に対して予め定められたカラーフィルタの配列方式に対応する画素データへの変換を行ってから前記予め定められたカラーフィルタの配列方式に対応した所定の信号処理を施す一方、
他の場合には前記変換を行わずに前記予め定められたカラーフィルタの配列方式に対応した所定の信号処理を施す
信号処理方法。
【発明の詳細な説明】
【技術分野】
【０００１】
本発明は、カラーフィルタが所定の配列方式で各受光素子に対応して設けられた撮像素子により得られた画素データ群に対して所定の信号処理を施す信号処理装置及び信号処理方法に関する。
【背景技術】
【０００２】
従来、デジタルカメラ、スキャナ、コピー機等の画像情報取得装置においては、被写体や原稿を示す画像情報を取得するために、ＣＣＤ（電荷結合素子）、ＣＭＯＳイメージ・センサ等の撮像素子が広く用いられている。
【０００３】
この種の画像情報取得装置では、カラー画像情報を得るために、撮像素子に設けられた複数の受光素子にＲ（赤）、Ｇ（緑）、Ｂ（青）の何れかのカラーフィルタを設け、各受光素子毎の画素信号を読みだすことによりカラー画像情報を取得する単板式を用いたものや、Ｒ、Ｇ、Ｂの画像情報をそれぞれ１つの撮像素子により取得する３板式を用いたもの等がある。
【０００４】
ここで、単板式では、各受光素子からはそれぞれ何れか１色の色信号しか得られないため、当該受光素子が対応する画素の他の色の色信号は、当該色に対応する周辺の受光素子から得られた色信号を用いて補間することで、画素単位のカラー画像情報を取得するようにしている。このため、３板式と比較して解像度は低いが、カラー画像を示す画像情報が低価格で取得可能であるという利点がある。
【０００５】
現在、単板式を用いた画像情報取得装置に搭載される撮像素子のカラーフィルタの配列は、ベイヤー配列、ＲＧＢストライプ配列、ハニカム配列等、種々提案されており、当該カラーフィルタの配列によって、上記補間等の処理内容が異なる。
【０００６】
従来、ベイヤー配列のＣＣＤを備えた撮像装置において、ＣＣＤドライバにより通常の読み出しと、垂直方向の２画素に関する加算読み出しの２つの読み出しを実行可能とし、加算読み出しを行った場合、読み出した画素信号に対して水平方向に１画素おきの２画素の加算処理を実行することが提案されている（例えば、特許文献１参照。）。
【０００７】
また、Ｇストライプ又はベイヤー配列のＣＣＤを備えた撮像装置において、ＣＣＤの画素配列を変更することなく表示装置の解像度に応じた画素数の画像信号を取得すべく、ＣＣＤを駆動するタイミングジェネレータのクロックを表示装置の解像度に合わせて奇数分の１の周波数に分周して同期信号として信号処理部に入力することにより、画素数が奇数分の１に間引かれた画像信号を取り込むことが提案されている（例えば、特許文献２参照。）。
【０００８】
さらに、撮像素子の撮像面に入射する光束をシフトさせる画素ずらしを行うと共に加算回路を用いて、少ないメモリ容量で実際の撮像素子の整数倍の画素数を有する撮像素子により得られる画素データと等価の画素データの空間的配置に等しくなるようにすることも提案されている（例えば、特許文献３参照。）。
【特許文献１】特開２００１−２９２３７６公報
【特許文献２】特開２０００−２２４６０４公報
【特許文献３】特開平１１−１８０９７号公報
【発明の開示】
【発明が解決しようとする課題】
【０００９】
ところで、近年、画像情報取得装置の低価格化に対応するために、異なるカラーフィルタの配列方式、例えばハニカム配列のＣＣＤとベイヤー配列のＣＣＤの両方の色信号処理を１つの処理系（例えばＬＳＩ）で実現し、当該処理系を、異なるカラーフィルタの配列方式が採用された画像情報取得装置で共通に使用可能にすることが望まれている。
【００１０】
しかしながら、カラーフィルタの配列方式によって処理系に入力される画素色順が異なるため、上記従来の技術では、例えばハニカム配列とベイヤー配列とで別々の信号処理回路が必要とされ、配列に応じた数の信号処理回路をそれぞれ設けなければならず、処理系の回路規模が増大し、かえってコストが高くなってしまう、という問題点があった。
【００１１】
本願発明は、上記問題点を解決するためになされたものであり、回路規模の増大を招くことなく、カラーフィルタの配列方式が異なる撮像素子により得られた画素データに対する信号処理が適切に行える信号処理装置及び信号処理方法を提供することが目的である。
【課題を解決するための手段】
【００１２】
上記目的を達成するために、請求項１記載の発明は、カラーフィルタが所定の配列方式で各受光素子に対応して設けられた撮像素子により得られた画素データ群に対して所定の信号処理を施す信号処理装置であって、前記画素データ群を予め定められたカラーフィルタの配列方式に対応した画素データ群に変換する変換手段と、前記撮像素子に設けられたカラーフィルタの配列方式を設定するための設定手段と、前記設定手段により設定されたカラーフィルタの配列方式が前記予め定められたカラーフィルタの配列方式と異なる場合には前記変換手段により変換された画素データ群を選択し、他の場合には前記撮像素子により得られた画素データ群を選択する選択手段と、前記選択手段により選択された画素データ群に対して、前記予め定められたカラーフィルタの配列方式に対応した所定の信号処理を施す信号処理手段と、を備えている。
【００１３】
請求項１記載の発明によれば、変換手段により、前記画素データ群が予め定められたカラーフィルタの配列方式に対応する画素データ群に変換され、設定手段により、前記撮像素子に設けられたカラーフィルタの配列方式が設定されて、選択手段では、前記設定手段により設定されたカラーフィルタの配列方式が前記予め定められたカラーフィルタの配列方式と異なる場合には前記変換手段により変換された画素データ群が選択されると共に、他の場合には前記撮像素子により得られた画素データ群が選択され、この選択された画素データに対して、信号処理手段により前記予め定められたカラーフィルタの配列方式に対応した所定の信号処理が施される。
【００１４】
すなわち、本発明では、撮像素子から各受光素子の信号を読み出した場合、カラーフィルタの配列方式によって得られる画素データ群の画素配列が異なるが、得られた画素データ群を変換手段により予め定められたカラーフィルタの配列方式に対応する画素配列の画素データ群に変換することができるので、複数の配列方式の撮像素子により得られた画素データ群に対する所定の信号処理を、単一の信号処理手段により適切に行うことができる。
【００１５】
このように、請求項１記載の信号処理装置では、画素データ群の配列方式を変換する変換手段を設けることによって、複数の配列方式の撮像素子により得られた画素データ群に対して共通の信号処理手段により信号処理を施すことが可能となるので、配列方式の数だけ信号処理手段を設ける場合と比較して回路規模の増大を招くことなく、カラーフィルタの配列方式が異なる撮像素子により得られた画素データ群に対する信号処理を適切に行うことができる。
【００１６】
本発明は、請求項２記載の発明のように、変換手段を、前記撮像素子により得られた画素データ群のうち、隣接する同色のフィルタに対応する複数の画素データを用いた補間演算により前記予め定められたカラーフィルタの配列方式に対応する各画素の画素データを導出することにより前記変換を行うものとすることができる。
【００１７】
請求項２記載の発明によれば、補間演算を行うための回路構成は、画素データ群に各種の信号処理を施す回路と比較して回路規模が小さくてすむので、回路規模の増大を招くことがない。
【００１８】
なお、このように補間演算により画素データ群の配列方式を変換する場合、補間演算の実行回数が最も少なくなるように補間演算を実行することにより、さらに回路規模を小さくでき、また、当該変換に要する時間を短くすることができるので、当該変換による処理速度の低下を抑制することができる。
【００１９】
一方、上記目的を達成するために、請求項３記載の発明は、カラーフィルタが所定の配列方式で各受光素子に対応して設けられた撮像素子により得られた画素データ群に対して所定の信号処理を施す信号処理方法であって、前記撮像素子のカラーフィルタの配列方式が前記予め定められたカラーフィルタの配列方式と異なる場合には前記画素データ群に対して予め定められたカラーフィルタの配列方式に対応する画素データ群への変換を行ってから前記予め定められたカラーフィルタの配列方式に対応した所定の信号処理を施す一方、他の場合には配列方式の変換を行わずに前記予め定められたカラーフィルタの配列方式に対応した所定の信号処理を施すものである。
【００２０】
請求項３記載の発明によれば、請求項１に記載の発明と略同様に作用するので、回路規模の増大を招くことなく、カラーフィルタの配列方式が異なる撮像素子により得られた画素データに対する信号処理を適切に行うことができる。
【発明の効果】
【００２１】
以上のように、本発明によれば、カラーフィルタが所定の配列方式で各受光素子に対応して設けられた撮像素子により得られた画素データ群に対して所定の信号処理を施すに際し、前記撮像素子のカラーフィルタの配列方式が前記予め定められたカラーフィルタの配列方式と異なる場合には前記画素データ群に対して予め定められたカラーフィルタの配列方式に対応する画素データ群への変換を行ってから前記予め定められたカラーフィルタの配列方式に対応した所定の信号処理を施す一方、他の場合には前記変換を行わずに前記予め定められたカラーフィルタの配列方式に対応した所定の信号処理を施すようにしているので、回路規模の増大を招くことなく、カラーフィルタの配列方式が異なる撮像素子により得られた画素データに対する信号処理が適切に行える、という優れた効果を有する。
【発明を実施するための最良の形態】
【００２２】
以下、図面を参照して本発明の実施の形態について詳細に説明する。まず、図１を参照して、本実施の形態に係るデジタルカメラ１０の電気系の要部構成を説明する。
【００２３】
デジタルカメラ１０は、被写体像を結像させるためのレンズを含んで構成された光学ユニット１２と、光学ユニット１２の光軸上に配設された電荷結合素子（以下、「ＣＣＤ」という。）１４と、デジタルカメラ１０全体の制御を司る制御部２０と、信号処理部３６と、を含んで構成されている。
【００２４】
光学ユニット１２は、複数枚のレンズを有し、焦点距離の変更（変倍）が可能なズームレンズとして構成されており、図示しないレンズ駆動機構を備えている。光学ユニット１２は、当該レンズ駆動機構を駆動させるためのモータ駆動部１５を介して制御部２０に接続されており、これにより、レンズ駆動機構は制御部２０の制御によりモータ駆動部１５から入力される駆動信号によって駆動される。なお、レンズ駆動機構には、焦点調整モータ、ズームモータ、絞り駆動モータ等が含まれる。
【００２５】
ＣＣＤ１４は、複数の受光素子が２次元配置された所謂エリアセンサとして構成されており、光学ユニット１２により調整された被写体像が受光面に入射されると、各受光素子により光の入射光量に応じた量の信号電荷に変換される。また、各受光素子には、Ｒ（赤）、Ｇ（緑）、Ｂ（青）の何れかの色のカラーフィルタがそれぞれ設けられており、単一のＣＣＤでＲ、Ｇ、Ｂの３色の色信号を得る単板式でカラー画像信号を得る構成とされている。
【００２６】
同図に示されるように、ＣＣＤ１４は、タイミングジェネレータ１６を介して制御部２０に接続されている。タイミングジェネレータ１６では、制御部２０の制御下において、主としてＣＣＤ１４の各受光素子に蓄積された信号電荷の読み出し等に用いられるタイミング信号の生成及びＣＣＤ１４への供給が行われる。
【００２７】
さらに、ＣＣＤ１４は、アナログ／デジタル変換器（以下、「Ａ／Ｄ変換器」という。）１８を介して制御部２０に接続されており、ＣＣＤ１４から出力された被写体像を示すアナログの画素信号は、Ａ／Ｄ変換器１８によりデジタルの画素データに変換された後に制御部２０に入力される。
【００２８】
また、信号処理部３６も制御部２０に接続されており、制御部２０では、信号処理部３６により、Ａ／Ｄ変換器１８から入力された画素データに対する各種の信号処理を行う。
【００２９】
一方、デジタルカメラ１０には、撮影された被写体像やメニュー画面等を表示するための液晶ディスプレイ（以下、「ＬＣＤ」という。）４２と、デジタルカメラ１０の電源をＯＮ／ＯＦＦさせるための電源スイッチ４４と、撮影を実行する際に押圧操作されるシャッターボタン４６と、が備えられている。
【００３０】
また、同図に示されるように、デジタルカメラ１０にはメモリ４０が備えられており、制御部２０に接続されている。制御部２０では、シャッターボタン４６の押圧操作に応じて、ＣＣＤ１４により取得されて信号処理部３６によって各種信号処理が施されて生成された画像データのメモリ４０への記憶が行われる。
【００３１】
ここで、上記信号処理部３６は、上述したカラーフィルタがハニカム配列であるＣＣＤにより得られた画素データにのみ対応している。
【００３２】
図２は、ＣＣＤに設けられるカラーフィルタの配列方式の一例を示す模式図であり、図２（Ａ）にはハニカム配列が、図２（Ｂ）にはベイヤー配列が、それぞれ示されている。なお、同図において、各画素７０を示す矩形内のＲ／Ｇ／Ｂは各画素７０に対応して設けられたカラーフィルタの色を表している。
【００３３】
図２（Ａ）に示されるように、ハニカム配列のＣＣＤ１４は、各受光素子が蜂の巣状に配列されており、ある行にはＧのみ、次の行にはＢＲＢＲ…、次の行にはＧのみ、次の行にはＲＢＲＢ…というように各色のカラーフィルタが配置されているかの如く、各受光素子７０の信号が読み出される。
【００３４】
一方、図２（Ｂ）に示されるように、ベイヤー配列のＣＣＤ１４は、各受光素子７０が二次元配置され、ある行にはＲＧＲＧ…、次の行にはＧＢＧＢ…というように各色のカラーフィルタが配置されているかの如く、各受光素子７０の信号が読み出される。
【００３５】
このように、ハニカム配列のＣＣＤとベイヤー配列のＣＣＤとでは、各受光素子７０の配設位置及びカラーフィルタの配列が異なるので、それぞれのＣＣＤにより得られた画素データからなる画素データ群に対する信号処理の手法も異なる。
【００３６】
一方、デジタルカメラ１０には、ＣＣＤ１４により得られた画素データ群の画素配列を信号処理部３６が対応する画素配列に変換する画素配列変換部３２及びデジタルカメラ１０に搭載されているＣＣＤ１４により得られる画素データ群の画素配列を設定するためのＣＣＤ配列設定部３８が設けられており、それぞれ制御部２０に接続されている。
【００３７】
なお、本実施の形態では、上記ＣＣＤ１４として、各受光素子に設けられるカラーフィルタの配列がハニカム配列のＣＣＤ又はベイヤー配列のＣＣＤを適用可能とする場合について説明する。
【００３８】
図３には、画素配列変換部３２で行われる画素配列の変換方法が示されている。同図に示されるように、ベイヤー配列のＣＣＤにより取得された画素データ（ａ）の各色の画素データのうち、ハニカム配列における各色の画素データに最も近い４つの画素データを用いて、補間演算を行なうことにより変換後の画素データが導出され、ハニカム配列のＣＣＤにより取得されたものと等価の画素データ（ｈ）が得られる。
（Ｇ画素の補間演算）
Ｇ画素の数は上述した何れの画素配列においても、Ｒ画素の数、Ｂ画素の数よりも多い。また、ベイヤー配列の画素データ（ａ）においては上下左右方向に１画素おきに配列されており（同図の（ｂ）も参照）、ハニカム配列の画素データ（ｈ）においては、Ｇ画素のみが１列毎に配列されている。
【００３９】
このため、ベイヤー配列のＧ画素の画素データをそのまま活かし、同図の（ｂ）に示されるように、互いに１つの画素Ｇを囲むように上下左右に位置するＧ画素（Ｇ１〜Ｇ４）を用いた補間演算によりハニカム配列のＧ画素の画素データを導出することを全ての画素について行うことにより、同図の（ｃ）に示すようなＧ画素の画素データが得られ、最も効率よく変換を行うことができる。この場合の補間演算は、以下に示す（１）式により示される。
【００４０】
Ｇ＝（Ｇ１＋Ｇ２＋Ｇ３＋Ｇ４）／４  ・・・  （１）
すなわち、同図の（ｂ）に示されるように、画素Ｇと、画素Ｇ１、Ｇ２、Ｇ３及びＧ４との距離は全て等しいので、画素Ｇ１〜Ｇ４の和をこれらの画素の数４で割ることにより、画素Ｇの画素データを導出することができる。
（Ｒ画素及びＢ画素の補間演算）
上述したように、本実施の形態ではＧ画素の画素データを活かして変換を行うようにしているため、Ｒ画素及びＢ画素のデータについては本来ベイヤー配列では画素が設けられていない位置の画素データを導出しなければならない。
【００４１】
そこで、画素データを導出したい位置に最も近い４つの画素の画素データを用い、Ｒａ、Ｒｂ、Ｂａ、Ｂｂの画素データを補間演算により導出する必要がある。この場合の補間演算は、それぞれ以下に示す（２）式〜（５）式により示される。
【００４２】
Ｒａ＝（４×Ｒ１＋２×Ｒ２＋２×Ｒ３＋Ｒ４）／９  ・・・  （２）
Ｒｂ＝（Ｒ１＋２×Ｒ２＋２×Ｒ３＋４×Ｒ４）／９  ・・・  （３）
Ｂａ＝（２×Ｂ１＋Ｂ２＋４×Ｂ３＋２×Ｂ４）／９  ・・・  （４）
Ｂｂ＝（２×Ｂ１＋４×Ｂ２＋Ｂ３＋２×Ｂ４）／９  ・・・  （５）
すなわち、画素データを導出したい位置と補間演算に用いる画素との距離に応じて、距離が遠くなるほど小さくなるように予め定められた重み付けが加味されており、これによって、補間演算により導出したい画素と各画素との距離が互いに異なる場合であっても、導出したい位置に対応する画素の画素データを適切に導出することが可能である。
【００４３】
なお、（２）式〜（５）式における重み付けは一例であり、適宜適切な重み付けを適用することができる。
【００４４】
一方、ＣＣＤ配列設定部３８では、デジタルカメラ１０の製造工程や部品交換におけるＣＣＤ１４の組み付け時等に、デジタルカメラ１０に適用したＣＣＤ１４の配列が設定されるようになっている。
【００４５】
図４には、本実施の形態に係るＣＣＤ１４により得られた信号の流れに関する機能ブロック図が示されている。
【００４６】
まず、ＣＣＤ１４から読み出されたアナログの画素信号はＡ／Ｄ変換部１８によりデジタルの画素データに変換される。
【００４７】
一方、選択部２２では、ＣＣＤ配列設定部３８により設定されたＣＣＤ配列に応じて、画像データに対して画素配列変換部３２を用いた画素配列の変換を実行するか否かが選択されるようになっており、画素配列変換部３２を介して画素配列が変換された画素データ、又は画素配列が変換されていない画素データが、信号処理部３６に入力される。なお、同図に示す選択部２２は、制御部２０がその役割を担っている。
【００４８】
信号処理部３６では、ハニカム配列のＣＣＤにより得られた画素データに対応する各種の信号処理が施される。
【００４９】
すなわち、ＣＣＤ１４としてベイヤー配列のＣＣＤが適用されている場合、選択部２２により、画素配列変換部３２で変換されたハニカム配列の画素データが信号処理部３６に入力される。一方、ＣＣＤ１４としてハニカム配列のＣＣＤが適用されている場合、選択部２２により、画素配列が変換されていない画素データが信号処理部３６に入力される。
【００５０】
以下、本実施の形態の作用を説明する。
【００５１】
本実施の形態に係るデジタルカメラ１０は、電源がＯＦＦとされた状態でユーザによって電源ボタン４４が操作されることにより起動する。その後、ユーザによって、シャッターボタン４６が押圧操作されると、ＣＣＤ１４から各画素７０の信号が順次読み出され、読み出された各画素信号は、Ａ／Ｄ変換器１８によりデジタル画素データに変換される。このデジタル画素データは、画素配列変換部３２を介して、又は画素配列変換部３２を介さずに、信号処理部３６に入力され、ハニカム配列の画素データに対する各種の信号処理が施される。これにより、撮像画像を表す画像データが生成され、制御部２０を介してメモリ４０に記憶される。
【００５２】
図５は、デジタルカメラ１０において常時実行される、ＣＣＤ１４により取得された画素信号に対する処理を信号の流れに沿って示すフローチャートであり、以下、同図を参照して本実施の形態に係る信号の流れについて説明する。
【００５３】
なお、デジタルカメラ１０の製造工程等において、予め当該デジタルカメラ１０に組み付けられたＣＣＤの配列（ベイヤー配列、ハニカム配列）がＣＣＤ配列設定部３８により設定されているものとして説明する。
【００５４】
ＣＣＤ１４の各受光素子から順次読み出された画素信号（ステップ１００）は、Ａ／Ｄ変換によりアナログ画素信号からデジタル画素データに変換される（ステップ１０２）。
【００５５】
当該画素データに対する処理は、ＣＣＤ配列設定部３８により設定されているＣＣＤ配列がハニカム配列を示すものであるか否かによって異なり（ステップ１０４）、ＣＣＤ１４の画素配列がベイヤー配列である場合は、画素データを画素配列変換部３２によりハニカム配列の画素データに変換され（ステップ１０６）、その後にハニカム配列の画素データに対応する信号処理が施される（ステップ１０８）。
【００５６】
一方、ＣＣＤ１４の画素配列がハニカム配列である場合は、画素配列の変換が施されることなくハニカム配列の画素データに対応する信号処理が施される（ステップ１０８）。
【００５７】
以上詳細に説明したように、本実施の形態によれば、カラーフィルタが所定の配列方式で各受光素子に対応して設けられた撮像素子により得られた画素データ群に対して所定の信号処理を施すに際し、前記撮像素子のカラーフィルタの配列方式が前記予め定められたカラーフィルタの配列方式と異なる場合には前記画素データ群に対して予め定められたカラーフィルタの配列方式に対応する画素データ群への変換を行ってから前記予め定められたカラーフィルタの配列方式に対応した所定の信号処理を施す一方、他の場合には前記変換を行わずに前記予め定められたカラーフィルタの配列方式に対応した所定の信号処理を施すようにしているので、回路規模の増大を招くことなく、カラーフィルタの配列方式が異なる撮像素子により得られた画素データに対する信号処理が適切に行える。
【００５８】
なお、本実施の形態では、信号処理部３６を、ハニカム配列とベイヤー配列とで共通使用可能に構成した形態について説明したが、本発明はこれに限定されるものではなく、カラーフィルタの配列方式の種類は、ＲＧＢストライプ配列等を適宜設定しうる。また、これらを適宜組み合わせることもできる。なお、３種類以上組み合わせた場合、配列によって画素配列の変換手順が異なるので、それぞれの配列の画素データを予め定められた配列の画素データに変換するための画素変換部を１つづつ設けるなど、適宜対応可能な構成とする必要がある。
【００５９】
なお、本実施の形態で説明したデジタルカメラ１０の構成は一例であり、本発明の主旨を逸脱しない範囲内において適宜変更可能であることは言うまでもない。
【００６０】
また、本実施の形態で示した画素配列の変換方法（図３、（１）式〜５（式）参照）も一例であり、本発明の主旨を逸脱しない範囲内において適宜変更可能であることは言うまでもない。
【図面の簡単な説明】
【００６１】
【図１】実施の形態に係るデジタルカメラ１０の電気系の要部構成を示すブロック図である。
【図２】ＣＣＤに設けられるカラーフィルタの配列方式の一例を示す模式図であり、（Ａ）はハニカム配列を、（Ｂ）はベイヤー配列を、それぞれ示している。
【図３】実施の形態に係る画素配列の変換方法を示す説明図である。
【図４】実施の形態に係るＣＣＤにより得られた信号の流れに関する機能ブロック図である。
【図５】実施の形態に係る信号の流れを示すフローチャートである。
【符号の説明】
【００６２】
１０    デジタルカメラ
１２    光学ユニット
１４    ＣＣＤ（撮像素子）
１５    モータ駆動部
１６    タイミングジェネレータ
１８    Ａ／Ｄ変換器
２０    制御部
２２    選択部（選択手段）
３２    画素配列変換部（変換手段）
３６    信号処理部（信号処理手段）
３８    ＣＣＤ配列設定部（設定手段）
４０    メモリ
４４    電源ボタン
４６    シャッターボタン
７０    受光素子
【図１】
2006094194.tif 000003
【図２】
2006094194.tif 000004
【図３】
2006094194.tif 000005
【図４】
2006094194.tif 000006
【図５】
2006094194.tif 000007